(57)【要約】【課題】固定回線を介して接続される認証が必要なネットワークの接続を容易にすること。【解決手段】固定回線を介して接続されるネットワークに接続するための接続情報が記憶されている記憶媒体を挿入可能な挿入部と、挿入された記憶媒体に記憶されている接続情報を用いてネットワークへの接続を要求するための接続要求を生成し、生成した接続要求に基づいてネットワークへの接続を要求する接続制御部と、を備える中継装置。【選択図】図２
2017135472.tif 000002
【特許請求の範囲】
【請求項１】
固定回線を介して接続されるネットワークに接続するための接続情報が記憶されている記憶媒体を挿入可能な挿入部と、
挿入された前記記憶媒体に記憶されている前記接続情報を用いて前記ネットワークへの接続を要求するための接続要求を生成し、生成した前記接続要求に基づいて前記ネットワークへの接続を要求する接続制御部と、
を備える中継装置。
【請求項２】
前記接続制御部は、前記記憶媒体が抜き取られた場合には前記ネットワークとの接続を切断するための制御を行う、請求項１に記載の中継装置。
【請求項３】
固定回線を介して接続されるネットワークに接続するための接続情報が記憶されている記憶媒体を挿入可能な挿入部に挿入された前記記憶媒体に記憶されている前記接続情報を用いて前記ネットワークへの接続を要求するための接続要求を生成し、生成した前記接続要求に基づいて前記ネットワークへの接続を要求する接続制御ステップ、
を有するネットワーク接続方法。
【請求項４】
固定回線を介して接続されるネットワークに接続するための接続情報が記憶されている記憶媒体を挿入可能な挿入部に挿入された前記記憶媒体に記憶されている前記接続情報を用いて前記ネットワークへの接続を要求するための接続要求を生成し、生成した前記接続要求に基づいて前記ネットワークへの接続を要求する接続制御ステップ、
をコンピュータに実行させるためのコンピュータプログラム。
【発明の詳細な説明】
【技術分野】
【０００１】
本発明は、ネットワークの接続技術に関する。
【背景技術】
【０００２】
近年、インターネットの利用が増加している。特に、移動体通信においては接続設定を行う必要が無いため、容易にインターネットが利用できる（例えば、特許文献１参照）。それに対して、企業や家庭内の通信装置から固定回線を介してインターネットに接続するためには、様々な手続きが必要となる。例えば、まずユーザは、通信装置を操作して、インターネットの接続に利用する中継装置にログインする。次に、ユーザは、ＩＳＰ（Internet Services Provider）から提供されるインターネット接続に関する情報を、ログイン後の設定画面において入力する。そして、ＩＳＰにて認証がなされると、インターネットへの接続が可能になる。
【先行技術文献】
【特許文献】
【０００３】
【特許文献１】特開２０１２−１７０１６３号公報
【発明の概要】
【発明が解決しようとする課題】
【０００４】
しかしながら、固定回線を介してインターネットに接続する場合には上記の接続方法であってもインターネット接続に手間がかかってしまうという問題があった。このような問題は、インターネット接続に限らず、固定回線を介して接続される認証が必要なネットワーク全てに共通する問題である。
上記事情に鑑み、本発明は、固定回線を介して接続される認証が必要なネットワークの接続を容易にする技術の提供を目的としている。
【課題を解決するための手段】
【０００５】
本発明の一態様は、固定回線を介して接続されるネットワークに接続するための接続情報が記憶されている記憶媒体を挿入可能な挿入部と、挿入された前記記憶媒体に記憶されている前記接続情報を用いて前記ネットワークへの接続を要求するための接続要求を生成し、生成した前記接続要求に基づいて前記ネットワークへの接続を要求する接続制御部と、を備える中継装置である。
【０００６】
本発明の一態様は、中継装置であって、前記接続制御部は、前記記憶媒体が抜き取られた場合には前記ネットワークとの接続を切断するための制御を行う。
【０００７】
本発明の一態様は、固定回線を介して接続されるネットワークに接続するための接続情報が記憶されている記憶媒体を挿入可能な挿入部に挿入された前記記憶媒体に記憶されている前記接続情報を用いて前記ネットワークへの接続を要求するための接続要求を生成し、生成した前記接続要求に基づいて前記ネットワークへの接続を要求する接続制御ステップ、を有するネットワーク接続方法である。
【０００８】
本発明の一態様は、固定回線を介して接続されるネットワークに接続するための接続情報が記憶されている記憶媒体を挿入可能な挿入部に挿入された前記記憶媒体に記憶されている前記接続情報を用いて前記ネットワークへの接続を要求するための接続要求を生成し、生成した前記接続要求に基づいて前記ネットワークへの接続を要求する接続制御ステップ、をコンピュータに実行させるためのコンピュータプログラムである。
【発明の効果】
【０００９】
本発明により、固定回線を介して接続される認証が必要なネットワークの接続を容易にすることが可能となる。
【図面の簡単な説明】
【００１０】
【図１】本発明におけるネットワーク接続制御システム１００のシステム構成を表す構成図である。
【図２】中継装置１０の機能構成を表す概略ブロック図である。
【図３】中継装置１０のネットワーク接続処理の流れを示すフローチャートである。
【図４】記憶媒体５０の抜き取り時の処理の流れを示すフローチャートである。
【図５】ネットワーク接続制御システム１００の処理の流れを示すシーケンス図である。
【図６】ネットワーク接続制御システム１００の運用の流れを示すシーケンス図である。
【発明を実施するための形態】
【００１１】
以下、本発明の一実施形態を、図面を参照しながら説明する。
図１は、本発明におけるネットワーク接続制御システム１００のシステム構成を表す構成図である。ネットワーク接続制御システム１００は、中継装置１０及び終端装置２０を備える。中継装置１０と終端装置２０とは、第１ネットワーク３０を介して通信可能な状態で接続される。第１ネットワーク３０は、例えばＮＧＮ（Next Generation Network）である。また、終端装置２０の上位には、第２ネットワーク４０が存在する。第２ネットワーク４０は、固定回線を介して接続される認証が必要なネットワークであればどのようなネットワークであってもよい。例えば、第２ネットワーク４０は、インターネットを用いて構成されてもよい。第２ネットワーク４０は、ＩＳＰ（Internet Service Provider）の認証がなされると接続可能になる。第１ネットワーク３０と第２ネットワーク４０とは、異なる通信事業者のネットワークである。
【００１２】
中継装置１０は、アクセスポイントであり、自装置に接続している通信装置との間で通信を行う。中継装置１０には、記憶媒体５０を挿入可能な機構（以下、「挿入部」という。）が設けられる。中継装置１０は、挿入部に挿入された記憶媒体５０に記憶されている情報を取得し、取得した情報を終端装置２０に送信する。記憶媒体５０に記憶されている情報は、第２ネットワーク４０に接続するための情報であり、例えば第２ネットワーク４０への接続用のＩＤ及びパスワードである。以下、第２ネットワーク４０に接続するための情報を接続情報と記載する。
【００１３】
終端装置２０は、第１ネットワーク３０と第２ネットワーク４０との境界に設けられる。終端装置２０は、中継装置１０から第１ネットワーク３０を介して送信された接続情報を、第２ネットワーク４０に接続する不図示の認証サーバに送信する。その後、終端装置２０は、認証サーバから応答を受信する。そして、終端装置２０は、受信した応答を中継装置１０に送信する。
記憶媒体５０は、接続情報を記憶している。記憶媒体５０は、例えばＵＳＢ（Universal Serial Bus）、ＳＤカード、ＳＩＭカードなどである。記憶媒体５０は、ＩＳＰによって接続情報を記憶された状態で提供される。
【００１４】
図２は、中継装置１０の機能構成を表す概略ブロック図である。
中継装置１０は、バスで接続されたＣＰＵ（Central Processing Unit）やメモリや補助記憶装置などを備え、ネットワーク接続制御プログラムを実行する。ネットワーク接続制御プログラムの実行によって、中継装置１０は、第一通信部１０１、第二通信部１０２、読取部１０３、接続制御部１０４を備える装置として機能する。なお、中継装置１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、ネットワーク接続制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、ネットワーク接続制御プログラムは、電気通信回線を介して送受信されてもよい。
【００１５】
第一通信部１０１は、第２ネットワーク４０へ接続する不図示の通信装置との間で通信を行う。通信装置は、例えばスマートフォン、携帯電話、タブレット端末、ノートパソコン、パーソナルコンピュータ、ゲーム機器等の情報処理装置を用いて構成される。
第二通信部１０２は、第１ネットワーク３０を介して終端装置２０との間で通信を行う。
読取部１０３は、挿入部１１に挿入された記憶媒体５０に記憶されている接続情報を読み取る。読取部１０３は、読み取った接続情報を接続制御部１０４に出力する。また、読取部１０３は、記憶媒体５０が自装置から抜き出された場合には、記憶媒体５０が抜き出された旨の通知（以下、「抜去通知」という。）を接続制御部１０４に出力する。
接続制御部１０４は、読取部１０３から出力された接続情報を入力する。接続制御部１０４は、入力された接続情報を用いて、第２ネットワーク４０に接続するための接続要求を生成する。接続要求には、接続情報が含まれる。接続制御部１０４は、生成した接続要求に基づいて第２ネットワーク４０に対する接続を要求する。また、接続制御部１０４は、読取部１０３から出力された抜去通知を入力する。接続制御部１０４は、入力された抜去通知に基づいて、第２ネットワーク４０への接続を切断する。
【００１６】
図３は、中継装置１０のネットワーク接続処理の流れを示すフローチャートである。ネットワーク接続処理とは、中継装置１０が、第２ネットワーク４０に接続するための処理である。
読取部１０３は、自装置に挿入された記憶媒体５０に記憶されている接続情報を読み取る（ステップＳ１０１）。読取部１０３は、読み取った接続情報を接続制御部１０４に出力する。接続制御部１０４は、読取部１０３から出力された接続情報を用いて接続要求を生成する。接続制御部１０４は、第二通信部１０２を制御して、生成した接続要求を終端装置２０に送信させる。第二通信部１０２は、接続制御部１０４の制御に従って接続要求を、第１ネットワーク３０を介して終端装置２０に送信する（ステップＳ１０２）。第二通信部１０２は、終端装置２０から送信された応答を受信する。第二通信部１０２は、受信した応答を接続制御部１０４に出力する。接続制御部１０４は、第二通信部１０２から出力された応答を入力する。接続制御部１０４は、入力した応答に基づいて、認証がなされたか否か判定する（ステップＳ１０３）。応答に認証がなされた旨を示す情報が含まれている場合、接続制御部１０４は認証がなされたと判定する。一方、応答に認証がなされなかった旨を示す情報が含まれている場合、接続制御部１０４は認証がなされなかったと判定する。認証がなされたと判定した場合（ステップＳ１０３−ＹＥＳ）、中継装置１０は第２ネットワーク４０に接続可能になる（ステップＳ１０４）。一方、認証がなされたと判定しなかった場合（ステップＳ１０３−ＮＯ）、中継装置１０は第２ネットワーク４０に接続できない（ステップＳ１０５）。
【００１７】
図４は、記憶媒体５０の抜き取り時の処理の流れを示すフローチャートである。
接続制御部１０４は、自装置から記憶媒体５０が取り外されたか否か判定する（ステップＳ２０１）。自装置から記憶媒体５０が取り外されていないと判定した場合（ステップＳ２０１−ＮＯ）、中継装置１０は図４における処理を終了する。一方、自装置から記憶媒体５０が取り外されていると判定した場合（ステップＳ２０１−ＹＥＳ）、接続制御部１０４は第２ネットワーク４０との接続を切断するための制御を行う（ステップＳ２０２）。
【００１８】
図５は、ネットワーク接続制御システム１００の処理の流れを示すシーケンス図である。
ユーザによって、中継装置１０に記憶媒体５０が挿入される（ステップＳ３０１）。中継装置１０に記憶媒体５０が挿入されると、読取部１０３は挿入された記憶媒体５０から接続情報を読み取る（ステップＳ３０２）。接続制御部１０４は、読み取られた接続情報を用いて生成し、生成した接続要求を第二通信部１０２に送信させる。第二通信部１０２は、接続制御部１０４の制御に従って、接続情報を含む接続要求を終端装置２０に送信する（ステップＳ３０３）。終端装置２０は、中継装置１０から送信された接続要求を受信する。終端装置２０は、受信した接続要求に基づいて中継装置１０の認証を行う（ステップＳ３０４）。具体的には、終端装置２０は、接続要求に含まれる接続情報で示されるＩＤ及びパスワードを、第２ネットワーク４０を介して認証サーバに送信する。認証サーバは、予め記憶しているＩＤ及びパスワードの組合せと、終端装置２０から送信されたＩＤ及びパスワードの組合せとが一致するか否か判定する。
【００１９】
予め記憶しているＩＤ及びパスワードの組合せと、終端装置２０から送信されたＩＤ及びパスワードの組合せとが一致する場合、認証サーバは認証がなされた旨の応答を終端装置２０に送信する。一方、予め記憶しているＩＤ及びパスワードの組合せと、終端装置２０から送信されたＩＤ及びパスワードの組合せとが一致しない場合、認証サーバは認証がなされなかった旨の応答を終端装置２０に送信する。終端装置２０は、認証結果を認証サーバから受信する。終端装置２０は、受信した認証結果を中継装置１０に送信する（ステップＳ３０５）。中継装置１０は、認証結果に応じた処理を行う（ステップＳ３０６）。具体的には、中継装置１０は、認証結果に認証がなされた旨の情報が含まれる場合、終端装置２０との間でＰＰＰｏＥセッションを確立する。これにより、中継装置１０は、第２ネットワーク４０に接続可能になる。また、中継装置１０は、認証結果に認証がなされていない旨の情報が含まれる場合、第２ネットワーク４０に接続できない。このような場合、接続制御部１０４は、第２ネットワーク４０に接続できない旨を出力してもよい。例えば、接続制御部１０４は、第２ネットワーク４０に接続できない旨を音で出力してもよいし、その他の方法で出力してもよい。
【００２０】
その後、ユーザによって、中継装置１０から記憶媒体５０が抜き取られたとする（ステップＳ３０７）。この場合、読取部１０３は、抜去通知を接続制御部１０４に出力する。接続制御部１０４は、読取部１０３から抜去通知が出力されると、第二通信部１０２を制御して、出力された抜去通知を終端装置２０に送信させる。第二通信部１０２は、接続制御部１０４の制御に従って、抜去通知を終端装置２０に送信する（ステップＳ３０８）。終端装置２０は、中継装置１０から送信された抜去通知を受信する。終端装置２０は、受信した抜去通知に応じた処理を行う（ステップＳ３０９）。具体的には、終端装置２０は、中継装置１０から第２ネットワーク４０に対する通信を遮断する。これにより、中継装置１０は、第２ネットワーク４０との接続が切断される。その後、中継装置１０に再度記憶媒体５０が挿入されると、ステップＳ３０１以降の処理が実行される。
【００２１】
図６は、ネットワーク接続制御システム１００の運用の流れを示すシーケンス図である。図６では、第２ネットワーク４０への接続を要求する顧客、第１ネットワーク３０を管理する第１通信事業者及び第２ネットワーク４０を管理する第２通信事業者であるＩＳＰを例に説明する。
まず、顧客は、通信事業者及びＩＳＰと契約する（ステップＳ４０１）。契約がなされると、通信事業者は、顧客に対して中継装置１０を送付する（ステップＳ４０２）。また、ＩＳＰは、記憶媒体５０に接続情報を書き込む（ステップＳ４０３）。その後、ＩＳＰは、契約した顧客に対して記憶媒体５０を送付する（ステップＳ４０４）。顧客は、通信事業者から送付された中継装置１０に、ＩＳＰから送付された記憶媒体５０を挿入する（ステップＳ４０５）。これにより、中継装置１０が、第１ネットワーク３０を介して終端装置２０に接続要求を送信する。
【００２２】
以上のように構成された中継装置１０によれば、固定回線を介して接続される認証が必要なネットワークの接続を容易にすることが可能となる。この効果について詳細に説明する。
中継装置１０は、接続情報が予め記憶された記憶媒体５０から接続情報を読み取り、読み取った接続情報を終端装置２０に送信する。そして、認証がなされると、第２ネットワーク４０に接続が可能になる。したがって、ユーザが、固定回線を介して接続可能なネットワークの接続のために行う作業は、記憶媒体５０を中継装置１０に挿入するだけである。したがって、ユーザは、通信装置を操作して従来のように中継装置１０にアクセスすることや、設定画面において所定の情報を入力することがない。そのため、固定回線を介して接続される認証が必要なネットワークの接続を容易にすることが可能となる。
【００２３】
また、従来では、設定画面における情報の入力を人手で行っていた。そのため、誤った情報の入力がなされてしまう場合があった。このような場合には、第２ネットワーク４０に接続できない。それに対して、本発明では、第２ネットワーク４０の接続に使用される情報が予め記憶されている。したがって、ユーザが入力する必要がない。そのため、誤登録により第２ネットワーク４０に接続できなくなってしまうといった現象を軽減することができる。また、誤登録によるトラフィックの抑制を抑えることもできる。
【００２４】
＜変形例＞
中継装置１０は、第２ネットワーク４０へ接続している状態で電源が落とされる場合がある。このような場合には、第２ネットワーク４０への接続が切断される。そこで、中継装置１０が再度起動された場合に中継装置１０は、以下のような処理を行うように構成されてもよい。中継装置１０が再度起動されると、読取部１０３は挿入部１１に記憶媒体５０が挿入されているか否かを判定する。挿入部１１に記憶媒体５０が挿入されている場合、中継装置１０は図３のステップＳ１０１以降の処理を実行する。一方、挿入部１１に記憶媒体５０が挿入されていない場合、中継装置１０は図４のステップＳ２０２の処理を実行する。
このように構成されることによって、固定回線を介して接続される認証が必要なネットワークの接続を再起動時にも容易に行うことができる。
本発明は、中継装置１０が接続情報を基に対向装置とセッションを確立できるような環境であれば適用可能であり、例えば、社内ＬＡＮ（Local Area Network）や、検証用ネットワーク等の閉鎖的なネットワークにも適用可能である。つまり、第２ネットワーク４０は、社内ＬＡＮや、検証用ネットワークであってもよい。
【００２５】
以上、この発明の実施形態について図面を参照して詳述してきたが、具体的な構成はこの実施形態に限られるものではなく、この発明の要旨を逸脱しない範囲の設計等も含まれる。
【符号の説明】
【００２６】
１０…中継装置，  ２０…終端装置，  ３０…第１ネットワーク，  ４０…第２ネットワーク，  ５０…記憶媒体，  １０１…第一通信部，  １０２…第二通信部，  １０３…読取部，  １０４…接続制御部
【図１】
2017135472.tif 000003
【図２】
2017135472.tif 000004
【図３】
2017135472.tif 000005
【図４】
2017135472.tif 000006
【図５】
2017135472.tif 000007
【図６】
2017135472.tif 000008
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
固定回線を介して接続されるネットワークに接続するための接続情報が記憶されている記憶媒体を挿入可能な挿入部と、
挿入された前記記憶媒体に記憶されている前記接続情報を用いて前記ネットワークへの接続を要求するための接続要求を生成し、生成した前記接続要求に基づいて前記ネットワークへの接続を要求する接続制御部と、
自装置が再起動された後に、前記挿入部に前記記憶媒体が挿入されているか否かを判定し、前記挿入部に前記記憶媒体が挿入されている場合に前記記憶媒体から前記接続情報を読み出す読取部と、
を備え、
前記接続制御部は、前記読取部によって読み出された前記接続情報を用いて前記接続要求を生成し、生成した前記接続要求に基づいて前記ネットワークへの接続を要求し、前記接続要求に対する応答に前記ネットワークへの接続を許可しない旨の情報が含まれている場合、前記ネットワークへ接続できない旨を音で出力する中継装置。
【請求項２】
前記接続制御部は、前記記憶媒体が抜き取られた場合には前記ネットワークとの接続を切断するための制御を行う、請求項１に記載の中継装置。
【請求項３】
固定回線を介して接続されるネットワークに接続するための接続情報が記憶されている記憶媒体を挿入可能な挿入部に挿入された前記記憶媒体に記憶されている前記接続情報を用いて前記ネットワークへの接続を要求するための接続要求を生成し、生成した前記接続要求に基づいて前記ネットワークへの接続を要求する接続制御ステップと、
自装置が再起動された後に、前記挿入部に前記記憶媒体が挿入されているか否かを判定し、前記挿入部に前記記憶媒体が挿入されている場合に前記記憶媒体から前記接続情報を読み出す読取ステップと、
を有し、
前記接続制御ステップにおいて、前記読取ステップで読み出された前記接続情報を用いて前記接続要求を生成し、生成した前記接続要求に基づいて前記ネットワークへの接続を要求し、前記接続要求に対する応答に前記ネットワークへの接続を許可しない旨の情報が含まれている場合、前記ネットワークへ接続できない旨を音で出力するネットワーク接続方法。
【請求項４】
固定回線を介して接続されるネットワークに接続するための接続情報が記憶されている記憶媒体を挿入可能な挿入部に挿入された前記記憶媒体に記憶されている前記接続情報を用いて前記ネットワークへの接続を要求するための接続要求を生成し、生成した前記接続要求に基づいて前記ネットワークへの接続を要求する接続制御ステップと、
自装置が再起動された後に、前記挿入部に前記記憶媒体が挿入されているか否かを判定し、前記挿入部に前記記憶媒体が挿入されている場合に前記記憶媒体から前記接続情報を読み出す読取ステップと、
をコンピュータに実行させ、
前記接続制御ステップにおいて、前記読取ステップで読み出された前記接続情報を用いて前記接続要求を生成し、生成した前記接続要求に基づいて前記ネットワークへの接続を要求し、前記接続要求に対する応答に前記ネットワークへの接続を許可しない旨の情報が含まれている場合、前記ネットワークへ接続できない旨を音で出力するためのコンピュータプログラム。